(57)【要約】      （修正有）【課題】携帯電子端末に何らの改良を施すことなく、レーザーポインタを必要とするユーザの携帯電子端末にのみレーザーポインタ機能を搭載できる携帯電子端末用保護ケースを提供する。【解決手段】携帯電子端末Ｔの背面側から装着される携帯電子端末用保護ケース１の底面板２の板厚内のスペースに、半導体レーザーと、これを駆動するドライバと、電源とを備えたレーザーポインタ８を組み込み、底面板２外周面には、半導体レーザーから出力されたレーザー光を外部に射出する出射口９を形成する。【選択図】図１
0003199598.tif 000002
【実用新案登録請求の範囲】
【請求項１】
底面板の周囲に携帯電子端末の側面部と係合する係合片が形成され、表面にディスプレイを備えた携帯電子端末の背面側から装着される携帯電子端末用保護ケースにおいて、
前記底面板には、その板厚内のスペースに、半導体レーザーと、これを駆動するドライバと、電源とを備えたレーザーポインタが組み込まれ、
底面板外周面には、前記半導体レーザーから出力されたレーザー光を外部に射出する出射口が形成されたことを特徴とする携帯電子端末用保護ケース。
【請求項２】
前記半導体レーザーと前記出射口との間に、細管鏡筒にレーザーパターンフィルタが配されたフィルタアタッチメントを前記出射口から挿脱自在に装着するアタッチメントスペースが確保されて成る請求項１記載の携帯電子端末用保護ケース。
【請求項３】
前記底面板の周囲に、フィルタアタッチメントを挿入保持する少なくとも一つのアタッチメント収容孔が形成された請求項２記載の携帯電子端末用保護ケース。
【請求項４】
前記電池ボックスの電池を交換する際に開閉される蓋体が、前記底面板の内面側に形成された請求項１〜３いずれか記載の携帯電子端末用保護ケース。
【請求項５】
前記底面板の外側に露出された背面部には、主電源スイッチと、前記半導体レーザーのオンオフスイッチと、レーザー照射中であることを知らせるモニタランプが配されて成る請求項１〜４いずれか記載の携帯電子端末用保護ケース。
【考案の詳細な説明】
【技術分野】
【０００１】
本考案は、携帯電話や、スマートフォンなどの携帯電子端末に用いられる携帯電子端末用保護ケースに関するものである。
【背景技術】
【０００２】
プロジェクター等を使ってプレゼンテーションを行う場合にレーザーポインタが用いられる。一方、スマートフォンなどの携帯電子端末は、これを常時携帯している傾向にあるので、プレゼンテーションをする機会の多いユーザの利便性向上のため、このような携帯電子端末にレーザーポインタ機能を付加したものが提案されている（特許文献１又は２参照）。
【０００３】
これによれば、常時携帯しているスマートフォンなどから直接レーザー光を照射することができるので、スマートフォンさえ持ち歩いていれば、レーザーポインタを用意する必要がないというメリットがある。
【０００４】
しかしながら、スマートフォンのユーザの全員が、レーザーポインタを必要としているわけではないので、レーザーポインタを必要としないユーザにとっては過剰設備となり、この機能を搭載するために携帯電子端末のコストが嵩むことは好ましくない。
【先行技術文献】
【特許文献】
【０００５】
【特許文献１】特許２９９６９６４号公報
【特許文献２】特開２００８−２０６０２６号公報
【考案の概要】
【考案が解決しようとする課題】
【０００６】
そこで本考案は、携帯電子端末に何らの改良を施すことなく、レーザーポインタを必要とするユーザの携帯電子端末にのみレーザーポインタ機能を搭載できるようにすることを技術的課題としている。
【課題を解決するための手段】
【０００７】
この課題を解決するために、本考案は、底面板の周囲に携帯電子端末の側面部と係合する係合片が形成され、表面にディスプレイを備えた携帯電子端末の背面側から装着される携帯電子端末用保護ケースにおいて、前記底面板には、その板厚内のスペースに、半導体レーザーと、これを駆動するドライバと、電源とを備えたレーザーポインタが組み込まれ、底面板外周面には、前記半導体レーザーから出力されたレーザー光を外部に射出する出射口が形成されたことを特徴とする。
【考案の効果】
【０００８】
本考案に係る保護ケースには、その保護ケース内にレーザーポインタが組み込まれているので、これをスマートフォンなどの携帯電子端末に装着するだけで、携帯電子端末に何らの改良を施すことなく、その携帯電子端末がレーザーポインタ機能を備えることとなる。
したがって、レーザーポインタ機能を搭載するか否かは、この保護ケースを装着するか否かで選択でき、レーザーポインタ機能を必要とするユーザは自らの携帯電子機器を、簡単にレーザーポインタ機能付とすることができる。
【図面の簡単な説明】
【０００９】
【図１】本考案に係る携帯電子端末用保護ケースの一例を示す背面斜視図。
【図２】その表面斜視図。
【図３】内部構造を示すブロック図。
【考案を実施するための形態】
【００１０】
本例では、携帯電子端末に何らの改良を施すことなく、レーザーポインタを必要とするユーザの携帯電子端末にのみレーザーポインタ機能を搭載できるようにするという目的を達成するため、底面板の周囲に携帯電子端末の側面部と係合する係合片が形成され、表面にディスプレイを備えた携帯電子端末の背面側から装着される携帯電子端末用保護ケースにおいて、前記底面板には、その板厚内のスペースに、半導体レーザーと、これを駆動するドライバと、電源とを備えたレーザーポインタが組み込まれ、底面板外周面には、前記半導体レーザーから出力されたレーザー光を外部に射出する出射口を形成した。
【実施例１】
【００１１】
図１〜図３は、本考案に係る携帯電子端末用保護ケースの一例を示す説明図である。
本例の携帯電子端末用保護ケース１は、底面板２の周囲に、携帯電子端末Ｔ（図３参照）の側面部と係合する係合片３、３…が形成され、表面にディスプレイを備えたスマートフォンなどの携帯電子端末Ｔの背面側から装着されるようになっている。
【００１２】
底面板２には、図３に示すように、その板厚内のスペースに、半導体レーザー４と、これを駆動するドライバ５と、電源６を備えたレーザーポインタ８が組み込まれており、底面板２の外周面には、半導体レーザー４から出力されたレーザー光を外部に射出する出射口９が形成されている。
【００１３】
また、底面板２の外側に露出された背面部２ａには、主電源スイッチ１０と、半導体レーザー４のオンオフスイッチ１１と、レーザー照射中であることを知らせるＬＥＤモニタランプ１２が配されている。
【００１４】
半導体レーザー４と出射口９との間には、細管鏡筒１５内にレーザーパターンフィルタ（図示せず）が配されたフィルタアタッチメント１６Ａ、１６Ｂを出射口９の外側から挿脱自在に装着するアタッチメントスペース１７が確保されている。
また、フィルタアタッチメント１６Ａ、１６Ｂを未使用時に収容するアッタチメント収納孔１８Ａ、１８Ｂが、前記出射口９と平行して形成されており、本例では、直線パターンと、円環状パターンを投影する二つのアタッチメント１６Ａ、１６Ｂを収容し得るようになっている。
【００１５】
本例では、電源６としてボタン電池が用いられており、板厚内に形成された電池ボックス７にセットされる。
電池ボックス７は、底面板２の携帯電子端末Ｔに対向する内面側２ｂに、電池交換用の開閉蓋１９が設けられており、これによって、保護カバー１が携帯電子端末Ｔに装着されている間は電池が脱落せず、また、電池交換時に不用意に電池が飛び出しても保護ケース１から滑り落ちにくいようになっている。
【００１６】
以上が、本考案の一構成例であって、次にその作用について説明する。
まず、電池ボックス７に電源６となるボタン電池をセットした状態で、保護カバー１を、スマートフォンなどの携帯電子端末Ｔに装着する。
保護カバー１の正面側は解放されており、底面板２で携帯電子端末Ｔの背面側を覆うように装着されるので、携帯電子端末Ｔの表面に設けられたディスプレイへのタッチ操作が妨げられることはない。
【００１７】
そして、プレゼンテーションを行う場合は、背面側の主電源スイッチ１０をオンした状態にしておき、レーザポイントする必要のあるときのみ、オンオフスイッチ１１をオンすれば、半導体レーザー４からレーザー光が出力され、出射口９を通して外部に照射される。
したがって、スクリーンに投影された資料を指し示す場合は、出射口９をスクリーンＳに向けてオンオフスイッチ１１をオンすれば、スクリーンＳ上に点状のレーザードットＰ１が投影される（図３参照）。
【００１８】
また、直線パターンを使用してプレゼンテーションしようとする場合は、予めフィルタアタッチメント１６Ａをアタッチメントスペース１７に装着しておく。
この状態で、出射口９をスクリーンＳに向けてオンオフスイッチ１１をオンすれば、半導体レーザー４から出力されたレーザー光が、フィルタアタッチメント１６Ａを透過することにより、スクリーンＳ上に直線パターンＰ２が投影される（図３参照）。
【００１９】
さらに、円環状パターンを使用してプレゼンテーションしようとする場合は、予めフィルタアタッチメント１６Ｂをアタッチメントスペース１７に装着しておく。
この状態で、出射口９をスクリーンＳに向けてオンオフスイッチ１１をオンすれば、半導体レーザー４から出力されたレーザー光が、フィルタアタッチメント１６Ｂを透過することにより、スクリーンＳ上に円環状パターンＰ３が投影される（図３参照）。
【００２０】
このように、常時携帯する電子端末Ｔに保護カバー１を装着するだけで、レーザーポインタ８としての機能を搭載することができるので、携帯電子端末Ｔに何らの改良を施すことなく、極めて簡便に、レーザーポインタ機能を必要とするユーザの要求に答えることができる。
なお、フィルタアタッチメント１６Ａ、１６Ｂは、直線・円環状パターンを投影するものに限らず、他のパターンを投影する既存のものを選定し得る。
【産業上の利用可能性】
【００２１】
本考案は、携帯電子端末に装着される携帯電子端末用保護カバーの用途に適用し得る。
【符号の説明】
【００２２】
１…携帯電子端末用保護ケース
Ｔ…携帯電子端末
２…底面板
３…係合片
４…半導体レーザー
５…ドライバ
６…電源
７…電池ボックス
８…レーザーポインタ
９…出射口
１６Ａ、１６Ｂ…フィルタアタッチメント
１７…アタッチメントスペース
１８Ａ、１８Ｂ…アッタチメント収納孔
【図１】
0003199598.tif 000003
【図２】
0003199598.tif 000004
【図３】
0003199598.tif 000005
【手続補正書】
【提出日】平成27年6月23日(2015.6.23)
【手続補正１】
【補正対象書類名】実用新案登録請求の範囲
【補正対象項目名】請求項４
【補正方法】変更
【補正の内容】
【請求項４】
前記底面板には、前記電源となる電池をセットする電池ボックスが形成されると共に、当該電池ボックスの電池を交換する際に開閉される蓋体が、前記底面板の内面側に形成された請求項１〜３いずれか記載の携帯電子端末用保護ケース。